(57)【要約】【課題】従来のロック装置は、耐久性の点において必ずしも十分とはいえない。また、多くの部品を門扉の内部に配置する構成であるため、門の製作が煩雑になってしまう問題があり、既設の門に装備することができない欠点もある。【解決手段】レバー３９を持って反時計回りの方向へ倒す。すると作動軸３７と共に押圧部材４７が反時計回りの方向へ回転して、押圧部材４７の上側の端面４７ａがスライダ２５の右側の端面を押す。これによりスライダ２５は左方向へスライドして、係合凸部３８が係合凹部２１から外れ、また、スライダ２５が左方向へスライドすると、連結棒４９を介して連結されているスライダ３３もスライダ２５に連動して左方向へスライドして、スライダ３３の係合凸部３８も係合凹部２１から外れて、回転軸１５は回転可能な状態となる。【選択図】        図７
2006028774.tif 000002
【特許請求の範囲】
【請求項１】
門の門扉に備えられる戸車と共に回転する戸車側係合部と、門扉にスライド自在に備えられ前記戸車側係合部と係合するスライダ側係合部を備えるスライダと、戸車側係合部とスライダ側係合部とが係合する状態にスライダを所定方向へ付勢する付勢部材と、門扉に備えられる把持部と、前記把持部を持って門扉を開閉する方向の力を加えると前記付勢部材の付勢力に抗してスライダをスライダ側係合部と戸車側係合部との係合を解除する方向へ動作させる解除手段とから成ることを特徴とする門の戸車ロック装置。
【請求項２】
請求項１に記載された門の戸車ロック装置において、把持部を持って門扉を開閉する方向の力を加えるとスライダを所定方向へスライドするように押す押圧部材が備えられていることを特徴とする門の戸車ロック装置。
【請求項３】
請求項１または２に記載した門の戸車ロック装置において、把持部は立った姿勢で門扉に備えられるレバーであり、前記レバーは門扉に回転自在に備えられた作動軸に固定され、前記作動軸には作動軸が時計回り方向と反時計回り方向のいずれの方向へ回転しても、スライダをスライダ側係合部の戸車側係合部に対する係合を解除する方向へ動作するように押す押圧部材が備えられていることを特徴とする門の戸車ロック装置。
【請求項４】
請求項１〜３のいずれかに記載した門の戸車ロック装置において、スライダ側係合部はスライダに備えられた係合凸部であり、戸車側係合部は外周縁に前記係合凸部がはまり込む凹部が複数形成された円盤状体によって構成されていることを特徴とする門の戸車ロック装置。
【請求項５】
請求項１〜４のいずれかに記載した門の戸車ロック装置において、ロック装置は複数配置され、１つのロック装置の動作に連動して他のロック装置のロックとロックの解除が行われるものであることを特徴とする門の戸車ロック装置。
【請求項６】
請求項５に記載した門の戸車ロック装置において、複数のロック装置のスライダどうしを連結する連結部材を備えたことを特徴とする門の戸車ロック装置。
【請求項７】
請求項１〜６のいずれかに記載した門の戸車ロック装置を備えたことを特徴とする門。
【発明の詳細な説明】
【技術分野】
【０００１】
本発明は門の戸車ロック装置に係り、特に高い耐久性をもち、かつ既設の門に対しても容易に装備することが可能な戸車ロック装置に関するものであり、さらに当該門の戸車ロック装置を備えた門に関するものである。
【背景技術】
【０００２】
門を構成する門扉の下部には複数の戸車が備えられ、この戸車は地面等の設置面に設けられたレールに載っている。そして、門扉に設けられた取っ手を持って引くか、押すことにより門扉に開閉方向の力を加えて門扉を開閉する。門扉が開閉する際には戸車がレール上を走行する。
門扉は開閉するとき以外には安全のために動かないようにロックしておくことが好ましい。そこで、門扉を開閉するとき以外において戸車が回転しないようにロックしておくロック装置が開発されている。このロック装置は把持部である取っ手と共にレバーを握ると、レバーに連結されているワイヤが引っ張られて、この引張力によりロック部材が戸車に圧接させられて、戸車が回転しない状態にロックする構造を採っている。
【０００３】
しかしながら、上記従来のロック装置はワイヤを介して引張力をロック部材に伝達しているため、長期に渡って使用するとワイヤが伸びてしまい、ロック部材の戸車に対する圧接力が低下してしまうおそれがあり、耐久性の点において必ずしも十分とはいえない。
また、ワイヤや、ワイヤをガイドするコロやリンク機構等を構成する多くの部品を門扉の内部、即ち門扉を構成する金属管の内部に配置しなくてはならず、門の製作が煩雑なってしまう問題がある。さらに、従来のロック装置は多くの部品を門扉の内部に配置する構成であるため、既設の門に装備することができない欠点もある。
【発明の開示】
【発明が解決しようとする課題】
【０００４】
本発明は上記従来の問題点に着目してなされたものであり、高い耐久性をもち、しかも門扉の内部に多くの部品を配置する必要がなくて門の製作が煩雑になることがなく、さらに既設の門に対しても容易に装備することができる門の戸車ロック装置を提供することを目的とする。
【課題を解決するための手段】
【０００５】
本発明は上記課題を解決するためになされたものであり、請求項１の発明は、門の門扉に備えられる戸車と共に回転する戸車側係合部と、門扉にスライド自在に備えられ前記戸車側係合部と係合するスライダ側係合部を備えるスライダと、戸車側係合部とスライダ側係合部とが係合する状態にスライダを所定方向へ付勢する付勢部材と、門扉に備えられる把持部と、前記把持部を持って門扉を開閉する方向の力を加えると前記付勢部材の付勢力に抗してスライダをスライダ側係合部と戸車側係合部との係合を解除する方向へ動作させる解除手段とから成ることを特徴とする門の戸車ロック装置である。
【０００６】
請求項２の発明は、請求項１に記載された門の戸車ロック装置において、把持部を持って門扉を開閉する方向の力を加えるとスライダを所定方向へスライドするように押す押圧部材が備えられていることを特徴とする門の戸車ロック装置である。
【０００７】
請求項３の発明は、請求項１または２に記載した門の戸車ロック装置において、把持部は立った姿勢で門扉に備えられるレバーであり、前記レバーは門扉に回転自在に備えられた作動軸に固定され、前記作動軸には作動軸が時計回り方向と反時計回り方向のいずれの方向へ回転しても、スライダをスライダ側係合部の戸車側係合部に対する係合を解除する方向へ動作するように押す押圧部材が備えられていることを特徴とする門の戸車ロック装置である。
【０００８】
請求項４の発明は、請求項１〜３のいずれかに記載した門の戸車ロック装置において、スライダ側係合部はスライダに備えられた係合凸部であり、戸車側係合部は外周縁に前記係合凸部がはまり込む凹部が複数形成された円盤状体によって構成されていることを特徴とする門の戸車ロック装置である。
【０００９】
請求項５の発明は、請求項１〜４のいずれかに記載した門の戸車ロック装置において、ロック装置は複数配置され、１つのロック装置の動作に連動して他のロック装置のロックとロックの解除が行われるものであることを特徴とする門の戸車ロック装置である。
【００１０】
請求項６の発明は、請求項５に記載した門の戸車ロック装置において、複数のロック装置のスライダどうしを連結する連結部材を備えたことを特徴とする門の戸車ロック装置である。
【００１１】
請求項７の発明は、請求項１〜６のいずれかに記載した門の戸車ロック装置を備えたことを特徴とする門である。
【発明の効果】
【００１２】
本発明の門の戸車ロック装置によれば、高い耐久性を実現でき、しかも門扉の内部に多くの部品を配置する必要がないので、門の製作が煩雑になることはない。また、既設の門に対しても容易に装備することが可能である。
【実施例１】
【００１３】
本発明の実施例に係る戸車ロック装置が備えられた門１を図面にしたがって説明する。以下の説明において左右方向は図６〜図８を基準に左方向、右方向とする。
図１、図２において符号３は門扉を示し、この門扉３はベースフレーム５、複数の格子７を備えた格子フレーム１１、さらに補強フレーム１３とによって構成されている。補強フレーム１３は、その下端部がベースフレーム５に固定され上端部が格子フレーム１１に固定されて傾斜姿勢で備えられている。
【００１４】
ベースフレーム５の下面には軸ケース１３ａ、１３ｂが、取付金具１４とボルト１６によって固定されている。軸ケース１３ａと１３ｂは同じ構造を有しているが、説明の便宜のため符号１３ａと１３ｂを付して区別する。
軸ケース１３ａ、１３ｂには回転軸１５が図示しない軸受によって回転自在に支持されて備えられている。回転軸１５の両端部は軸ケース１３ａの前面と背面とから突出しており、この突出部分に戸車１７がそれぞれ固定されている。戸車１７は設置面である地面Ｇに敷設された一対のレール１８に載っている。
【００１５】
回転軸１５には係合円盤１９が固定されており、回転軸１５の軸心と回転円盤１９の中心とは一致している。即ち係合円盤１９の中心穴２０に回転軸１５が挿通されており、係合円盤１９は回転軸１５に対し固定されている。この係合円盤１９は外周部に戸車側係合部としての８つの凹部２１が形成されており、係合凹部２１は等間隔に配置されている（図３参照）。
また、軸ケース１３ａ、１３ｂの左右の側板には矩形穴２３が形成されている。
【００１６】
ベースフレーム５の右側端部の下面には軸ケース３５が、軸ケース１３ａ、１３ｂの固定に用いるものと同じ取付金具１４とボルト１６によって固定されている。この軸ケース３５には作動軸３７が回転自在に備えられている。作動軸３７の両端部は軸ケース３５の前面と背面から突出しており、この突出部分にレバー３９、４１の基端部がそれぞれ固定されている。レバー３９は門扉３の補強フレーム１３の内側に、レバー４１は格子フレーム１１の外側に位置している。
ベースフレーム５にはレバーストッパ４３が備えられており、レバーストッパ４３はレバー３９、４１の両サイドに配置されている。レバーストッパ４３は、レバー３９、４１に対し所定の間隔をあけて備えられている。
【００１７】
図３に詳細に示すように、作動軸３７には一対の穴空き円盤４５と、押圧部材４７が固定されている。押圧部材４７は穴の空いた円盤を中心で切断した形状であり、スライダ２５の厚さ寸法とほぼ同じ厚さ寸法に形成されている。押圧部材４７は穴空き円盤４５に挟持された状態で作動軸３７に固定されている。
軸ケース３５の左側板には矩形穴３６が形成されている。
【００１８】
符号２５はスライダを示し、このスライダ２５はほぼ長方形の板によって構成されており、スライダ２５の右端面には作動軸３７の外周面に対応する大きさの半円形の切欠き２７が形成されている。スライダ２５の長手方向の中心から左側へ寄った位置には長穴２９が形成されており、この長穴２９は右端部が角形で左端部が円弧状に形成されている。またスライダ２５の長穴２９を挟んで右側には取付穴３０が左側には連結穴３１が形成されている。さらにスライダ２５の長穴２９と連結穴３１との間には、スライダ側係合部としての係合凸部３８が設けられている。この係合凸部３８は立方体状のブロックをスライダ２５にネジ止めすることにより構成されている。
【００１９】
スライダ２５は軸ケース３５の矩形穴３６に右端部が挿入され、さらに軸ケース１３の左右の側板に形成された矩形穴２３に挿入されており、左右方向へスライド可能な状態となっている。
スライダ２５の長穴２９には前記した回転軸１５が貫入しており、スライダ２５は長穴２９の内面と回転軸１５との隙間の範囲で左右方向へスライドすることができる。
符号４０は付勢部材としての圧縮バネを示し、この圧縮バネ４０は右端部が軸ケース３５に連結され、左端部がスライダ２５の取付穴３０に固定されたボルト３２に連結されている。
スライダ２５の右端面は押圧部材４７に当接している。
【００２０】
軸ケース１３ｂに備えられる部材はスライダ３３を除き、軸ケース１３ａに備えられる部材と同様なので、軸ケース１３ａに備えられる部材に付した符号と同じ符号を付してその説明を省略する。
スライダ３３はスライダ２５よりも長さ寸法の短いほぼ長方形の板によって構成されている。スライダ３３の左右の端部には取り付け穴３１が形成されている。スライダ３３は矩形穴２３に挿入され、左右方向へスライド可能な状態に備えられている。
符号４９は連結部材としての連結棒を示し、この連結棒４９の右端部は連結穴３１に取り付けられたボルト３２によってスライダ２５の左端部に連結されている。また連結棒４９の左端部は連結穴３１に取り付けられたボルト３２によってスライダ３３の左端部に連結されている。
【００２１】
戸車ロック装置は、軸ケース１３ａ１３ｂ、取付金具１４、回転軸１５、ボルト１６、戸車１７、係合凹部２１を有する係合円盤１９、係合凸部３８を備えたスライダ２５、係合凸部３８を備えたスライダ３３、軸ケース３５、作動軸３７、レバー３９、４１、圧縮バネ４０、レバーストッパ４３、穴空き円盤４５、押圧部材４７及び連結棒４９によって構成されている。解除手段は、スライダ２５、スライダ３３、作動軸３７、レバー３９、４１及び圧縮バネ４０によって構成されている。
【００２２】
次に、この門１に備えられた戸車ロック装置の動作について説明する。
図６に示すように門扉３の開閉を行わない場合には、門扉３が動かないようにロック状態となっている。このロック状態では圧縮バネ４０の付勢力によって、スライダ２５は右方向へ付勢されており、係合凸部３８が係合円盤１９の係合凹部２１に嵌っている。これにより、戸車１７は固定されており、回転軸１５は回転できない状態になっている。よって、門扉３が不用意に動いてしまうのを防止することができる。
なお、ロック状態ではレバー３９は、圧縮バネの付勢力によってほぼ垂直に立ったロック位置に保持されている。
【００２３】
門扉３を開ける場合には、図７に示すようにレバー３９を持って反時計回りの方向へ倒す。すると作動軸３７と共に押圧部材４７が反時計回りの方向へ回転して、押圧部材４７の上側の端面４７ａがスライダ２５の右側の端面を押す。これによりスライダ２５は左方向へスライドして、係合凸部３８が係合凹部２１から外れ、また、スライダ２５が左方向へスライドすると、連結棒４９を介して連結されているスライダ３３もスライダ２５に連動して左方向へスライドして、スライダ３３の係合凸部３８も係合凹部２１から外れる。従って、軸ケース１３ａ、１３ｂに備えられた回転軸１５は回転可能な状態となる。
【００２４】
レバー３９を反時計回りの方向へ更に倒すと、レバー３９はレバーストッパ４３に当接し、レバーストッパ４３を介して門扉３に対し左方向へ押す力が加えられて、戸車１７が回転軸１５と共に回転しながら門扉３が左方向へ移動して開く。
レバー３９から手を離すと、レバー３９は圧縮バネ４０の付勢力によって時計回りの方向へ回動させられ、またスライダ２５、３３は右方向へスライドする。そして、８つある係合凹部２１のいずれかが係合凸部３８に対向すると、係合凸部３８が係合凹部２１にはまり込み、図６に示したロック状態となる。
【００２５】
門扉３を閉じる場合には、図８に示すようにレバー３９を時計回りの方向へ倒す。すると作動軸３７と共に押圧部材４７が時計回りの方向へ回転して、押圧部材４７の下側の端面４７ｂがスライダ２５の右側の端面を押す。これによりスライダ２５は左方向へスライドして係合凸部３８が係合凹部２１から外れ、さらにレバー３９を時計回りの方向へ倒すと、上記した門扉３を開く動作と同様にして、門扉が右方向へ移動して閉じる。
また、レバー３９から手を離すと、レバー３９は圧縮バネ４０の付勢力によって反時計回りの方向へ回動させられ、またスライダ２５、３３は右方向へスライドする。そして、係合凸部３８が係合凹部２１にはまり込み、図６に示したロック状態となる。
なお、門扉３を門の表側から開閉する場合にはレバー４１をレバー３９と同様に操作する。
【００２６】
このように、門１は門扉３を開閉するためにレバー３９（４１）を倒したときにのみ、ロック状態が解除され、それ以外の場合はロック状態となっているので、門扉３が不用意に開閉してしまうのを防止することができる。
また、戸車のロック装置はスライダ２５、３３、連結棒４９等のように剛性の高い（伸縮のない）部材のみによって構成されているので、ワイヤのように伸びてしまうことはなく、長期に渡って使用しても戸車１７のロックが甘くなることはなく、戸車ロック装置の高い耐久性を実現できる。
【００２７】
しかもこの戸車ロック装置は、門扉の内部に部品を配置する必要がないので、門の製作が煩雑なることもない。
また、戸車ロック装置は既設の門に対しても容易に装備することが可能である。即ち、門扉３をジャッキアップして、回転軸１５、戸車１７、スライダ３３等を備えた軸ケース１３ａ、１３ｂ、作動軸３７やスライダ２５等を備えた軸ケース３５を取り付けることにより、既設の門扉にも本発明の戸車ロック装置を容易に備えることができる。
【００２８】
以上、本発明の実施例について詳述してきたが、具体的構成は、この実施例に限られるものではなく、本発明の要旨を逸脱しない範囲における設計の変更などがあっても本発明に含まれる。
例えば、上記実施例では、軸ケース１３ａ以外に１つの軸ケース１３ｂ及びこれに付随する部材を設けたが、門扉の幅（全長）に合わせて、２つ以上の軸ケース１３ｂ及びこれに付随する部材を設けてもよい。この場合にはスライダ３３どうしを連結棒４９によって連結する（図４、図５参照）。
【００２９】
また、実施例では軸ケース３５と軸ケース１３ａとが接近して備えられているので、スライダ２５を軸ケース３５と軸ケース１３ａの両方に渡して備えたが、軸ケース３５と軸ケース１３ａとがある程度離れて備えられる場合には、軸ケース３５にのみスライダ２５を備え、軸ケース１３ａにはスライダ３３を備えて、このスライダ２５とスライダ３３とを連結棒４９によって連結する構成としてもよい。
【００３０】
また、係合円盤１９の係合凹部２１の数は、上記した８つに限定されるものではなく、いくつでもよい。
さらに、上記実施例では、スライダ２５側に係合凸部３８を設け、係合円盤１９側に係合凹部２１を設けるようにしたが、スライダ２５側に係合凹部を設け、係合円盤１９側に係合凸部を設ける構成としてもよい。
【図面の簡単な説明】
【００３１】
【図１】本発明の実施例に係る戸車ロック装置を備えた門の斜視図である。
【図２】本発明の実施例に係る戸車ロック装置の斜視図である。
【図３】本発明の実施例に係る戸車ロック装置の主要部の斜視図である。
【図４】本発明の実施例に係る戸車ロック装置の一部分解斜視図である。
【図５】図４の一部を破断した状態の斜視図である。
【図６】本発明の実施例に係る戸車ロック装置の動作を説明するための図である。
【図７】本発明の実施例に係る戸車ロック装置の動作を説明するための図である。
【図８】本発明の実施例に係る戸車ロック装置の動作を説明するための図である。
【符号の説明】
【００３２】
１  門      ３  門扉      ５  ベースフレーム      ７  格子
１１  格子フレーム      １３  補強フレーム      １３ａ、１３ｂ  軸ケース
１４  取付金具      １５  回転軸      １６  ボルト      １７  戸車
１８  レール      １９  係合円盤      ２０  中心穴      ２１  係合凹部
２３  矩形穴      ２５  スライダ      ２７  切欠き      ２９  長穴
３０  取付穴      ３１  連結穴      ３３  スライダ      ３５  軸ケース
３６  矩形穴      ３７  作動軸      ３８  係合凸部
３９、４１  レバー      ４０  圧縮バネ      
４３  レバーストッパ      ４５  穴空き円盤
４７  押圧部材      ４７ａ  押圧部材の上側の端面
４７b  押圧部材の下側の端面      ４９  連結棒
【図１】
2006028774.tif 000003
【図２】
2006028774.tif 000004
【図３】
2006028774.tif 000005
【図４】
2006028774.tif 000006
【図５】
2006028774.tif 000007
【図６】
2006028774.tif 000008
【図７】
2006028774.tif 000009
【図８】
2006028774.tif 000010